(57)【要約】【課題】庭などに配置しても外観的に風景に馴染んで、放置状態で保管できる装飾カバー体を備えることのできるホースリール、並び装飾カバー体を備えたホースリールを提供する。【解決手段】ホース１１の巻取機構を備えたリール部１２及びリール部を回転自在に支持する本体部１３を備え、リール部の巻取軸にハンドル連結機構を付設したホースリール本体１と、巻取軸の軸方向の突出長さを所望の長さにできる連結機構に備えた操作ハンドル２とで構成し、また更に前記ホースリール本体を収納固定できると共に、ホースリール本体を収納固定した際に、巻取機構の巻取軸延長上となる位置に操作ハンドル２の挿通孔を穿設し、リール部に正対する位置に適宜形状のホース通過孔を形成し、外部給水可能とした連結部（給水用孔部３１３）を設けてなる装飾カバー体３とで構成してなる。【選択図】    図４
2004315103.tif 000002
【特許請求の範囲】
【請求項１】
ホースの巻取機構を備えたリール部及びリール部を回転自在に支持する本体部を備え、リール部の巻取軸にハンドル連結機構を付設したホースリール本体と、巻取軸の軸方向の突出長さを所望の長さにできる連結機構を備えた操作ハンドルとで構成したことを特徴とするホースリール。
【請求項２】
ホースの巻取機構を備えたリール部及びリール部を回転自在に支持する本体部を備え、リール部の巻取軸にハンドル連結機構を付設したホースリール本体と、前記ホースリール本体を収納固定できると共に、ホースリール本体を収納固定した際に、巻取機構の巻取軸延長上となる位置に操作ハンドルの挿通孔を穿設し、リール部に正対する位置に適宜形状のホース通過孔を形成し、外部給水可能とした連結部を設けてなる装飾カバー体と、操作ハンドルの挿通孔を介して巻取軸のハンドル連結機構に装着可能に形成した操作ハンドルとで構成してなることを特徴とするホースリール。
【請求項３】
操作ハンドルが、巻取軸の軸方向の突出長さを所望の長さにできる連結機構を備えた請求項２記載のホースリール。
【請求項４】
ホースリール本体の本体部と、装飾カバー体の内面とを、長さ調整自在とした伸縮連結杆で連結して、ホースリール本体を装飾カバー体内に収納固定してなる請求項２又は３記載のホースリール。
【請求項５】
器具接地面における適宜な一箇所を、他の接地面よりも移動抵抗を大きくして器具全体の水平回動中心となる支点軸接地部に形成してなる請求項１乃至４記載のホースリール。
【請求項６】
器具の下面の接地個所を少なくとも３点以上の点接地とし、そのうちの一点の接地部を支点軸接地部としてなる請求項５記載のホースリール。
【発明の詳細な説明】
【０００１】
【産業上の利用分野】
本発明は、庭などに配置しても外観が風景に馴染むような所望の装飾カバー体に組み込み可能としたホースリール、並びに装飾カバー体にホースリール本体を組み込んだ器具、更には前記器具の倒伏防止機能を備えさせるための構造に関するものである。
【０００２】
【従来の技術】
ホースリールは周知の通り、巻取ドラムを回転自在となるように本体に横架すると共に、前記巻取ドラムの回転軸に巻取ハンドルを連結して構成されている。
【０００３】
そして使い勝手が良いようにと、踏み台内にホースリールを収納している器具が知られている（特許文献１）。
【０００４】
またホースリールは、地面に置いた状態でホースの引き出し並びに巻取りを行うもので、ホースの引き出し方向並びに巻き取り方向によっては、簡単に倒伏してしまう。この対策として、接地回転台を採用し、リール部及びリール部を横架支持する本体部を、前記接地回転台上に設け、リール部が水平回動してホースの引き出し方向や巻き取り方向に自然に向くようにした構造が提案されている（特許文献２，３）。
【０００５】
【特許文献１】
特開平９−１９４１４７号公報。
【特許文献２】
実公平４−１９０１９号公報。
【特許文献３】
実公平７−４７４２２号公報。
【０００６】
【発明が解決しようとする課題】
ホースリールは主として庭の草木への散水に使用されるもので、庭にそのまま置いておくと庭の美感を損なってしまう。そこでホースリールを小屋などにしまい込むと、使用時や使用終了時の小屋からの運び出し並びに運び入れが面倒である。公知例のように踏み台としても、外観的な点は改善されない（第一課題）。
【０００７】
また倒伏の問題についても、接地回転台を採用すると構造が複雑化並びに大型化してしまう問題がある（第二課題）。しかも前記第一課題の解決手段（装飾カバー体の使用）を採用した場合に、使用時に当該器具が倒伏すると、装飾カバー体の破損などの問題も生ずる。
【０００８】
本発明は、庭の風景にとけ込む装飾カバー体への組み込みを可能としたホースリール並びに装飾カバー体にホースリール本体を組み込んだ器具、更には前記器具に倒伏防止機構を備えさせた器具を提案したものである。
【０００９】
【課題を解決する手段】
本発明に係るホースリールは、ホースの巻取機構を備えたリール部及びリール部を回転自在に支持する本体部を備え、リール部の巻取軸にハンドル連結機構を付設したホースリール本体と、巻取軸の軸方向の突出長さを所望の長さにできる連結機構を備えた操作ハンドルとで構成したことを特徴とするものである。
【００１０】
従って操作ハンドルを装着すると、通常のホースリールとして使用できるが、適宜な装飾カバー体内に、ホースリール本体を収納固定した際でも、操作ハンドルの突出長さを任意にできるため、装飾カバー体におけるハンドル軸の挿通長さ（装飾カバー体の厚み）が異なっていても対応できるものである。
【００１１】
また本発明に係るホースリールは、リール部の巻取軸にハンドル連結機構を設けたホースリール本体と、前記ホースリール本体を収納固定できると共に、ホースリール本体を収納固定した際に、巻取機構の巻取軸延長上となる位置に操作ハンドルの挿通孔を穿設し、リール部に正対する位置に適宜形状のホース通過孔を形成し、外部給水可能とした連結部を設けてなる装飾カバー体と、操作ハンドルの挿通孔を介して巻取軸のハンドル連結機構に装着可能に形成した操作ハンドルとで構成してなることを特徴とするものである。
【００１２】
従って庭の風景にとけ込む装飾カバー体の内部に、ホースリール本体（リール部と本体部）が収納されていることになり、使用に際しては、ホースを引き出して散水等を実施し、使用後は、操作ハンドルを装着してホースの巻き取りを行えば良い。
【００１３】
また本発明は、前記ホースリールにおいて、器具接地面（ホースリール本体や装飾カバー体の底面部分）における適宜な一箇所を、他の接地面よりも移動抵抗を大きくして器具全体の水平回動中心となる支点軸接地部に形成してなることを特徴とするものである。
【００１４】
従って前記構成の採用によって、ホースによってホースリール本体や装飾カバー体に横方向成分の力が作用すると、設置個所の移動抵抗が一定ではないので、器具全体は、接地抵抗の大きい支点軸接地部を中心に水平回動を行い、変化した巻き取り方向や引き出し方向に向き直すことになり、器具の転倒を免れることができるものである。
【００１５】
【実施の形態】
次に本発明の実施形態について説明する。図１，２は本発明の第一実施形態を示したもので、この実施形態に示したホースリールの基本構造は、従前のものと同様で、ホースリール本体１は、ホース１１の巻き取りを行うやリール部１２と、リール部１２を支持する本体部１３とで構成される。
【００１６】
リール部１２は、ホース１１の巻取機構（巻取ドラム１２１及び別置操作巻取ハンドル２で構成される）を備えてなる。このリール部１２は、本体部１３に回転自在に横架支持されてなる。なお巻取ドラム１２１には、ホース連結部１２２とホース連結部と接続された給水部１２３が設けられている。また特に巻取機構の巻取軸１２４は、複数の連結孔１２５を穿設し、操作ハンドル２との連結範囲を変更できる連結構造を採用してなる。
【００１７】
操作ハンドル２は、前記巻取軸１２４に装着できる構造を採用したもので、特に連結軸に、連結孔１２５に係合する多数の突起２１を設け、連結位置（連結範囲）を任意にできるようにしたものである。これによって操作ハンドルの軸方向の突出長さを任意に設定することができるものである。勿論前記の構造に代えて、連結軸が伸縮可能な構造としても良い。
【００１８】
前記の第一実施形態のホースリール本体１と操作ハンドル２とで構成されるホースリールは、操作ハンドル２を巻取軸１２４に装着するに際して、操作ハンドルの突出長さを短くすると、通常のホースリールとして使用できるものである。
【００１９】
またとくに後述する装飾カバー体３と組み合わせて使用する場合には、装飾カバー体３が特定の形状でなく任意の形状で、収納内空部分と外側面との距離（部材の厚み）等に相違があったとても、内部に収納固定したホースリール本体に操作ハンドル２を外部から連結できるものである。
【００２０】
図３，４，５は本発明の第二実施形態を示したもので、この実施形態は、ホースリール本体１と、操作ハンドル２と、装飾カバー体３とで構成されるものである。
【００２１】
ホースリール本体１及び操作ハンドル２は前記第一実施形態のものと同一構成としても良いし、また装飾カバー体３が特定の形状であるから、当該形状に対応した軸長を備えた操作ハンドルを採用する場合には、前記第一実施形態の巻取軸１２４と操作ハンドル２との伸縮連結構造を採用しなくとも良い。
【００２２】
装飾カバー体３は、花壇や岩に模した外観に形成した筺体で、ホースリール本体１に被冠して、ホースリール本体１を内部に収納する本体部３１と、ホースリール本体１を収納した際に固定する固定手段となるベース体３２とで構成される。
【００２３】
装飾カバー体３の本体部３１には、内装したリール部１２の巻取軸１２４の延長上に操作ハンドル用の挿通孔３１１、及びリール部１２に正対する位置に適宜形状のホース通過孔３１２を穿設し、給水部（給水管連結部）１２３を外部に突出させてる適宜な孔部（給水用孔部）３１３を設けてなる。
【００２４】
尚前記の給水用孔部３１３代えて、装飾カバー本体部３１の適宜位置に、外部給水管（水道管と連結している）との連結機構（給水受け口）を予め形成しておき、ホースリール本体１を装飾カバー体３に内装するに際して、ホース１１と連結している給水部１２３を前記連結機構と接続するようにしても良い。
【００２５】
ベース体３２は、装飾カバー本体部３１の底面開口に装着するもので、ホースリール本体１の本体部１３を載置固定し、ベース体３２を装飾カバー体３に固定してホースリール本体１を装飾カバー体３内に収納固定するものである。
【００２６】
尚前記のベース体３２に代えて、装飾カバー本体部３１の内周面とホースリール本体１の本体部１３との間に、長さ調整可能とした連結杆４を用いてホースリール本体１又は装飾カバー体３を中空保持するようにしても良い。
【００２７】
更にベース体３２には、３個の接地部（接地脚）を設けたもので、この接地部のうち１点は支点軸接地部３２１として、他の二点はキャスターを使用しての移動接地部３２２としたものである。
【００２８】
而してホースリール本体１を装飾カバー体３内に収納固定し、外部から操作ハンドル２を装着し、ホース１１を通過孔３１２から外部に露出させ、給水用孔部３１３からの給水部１２３を露出させ、外部給水管と連結すると使用可能状態となる。
【００２９】
そこで使用に際しては、ホース通過孔３１２からホース１１を大きく引き出し、使用後は、操作ハンドル２の回転操作でホース１１の巻き取りを行うものである。特に前記の器具は、外観が庭の風景にとけ込む装飾カバー体３で覆われているので、そのままの庭に配置しても何ら景観を乱すことがない。
【００３０】
またホース１１の移動によって器具全体に回転力が加わると、支点軸接地部３２１を中心に回動するものであり、特に移動設置部３２２に車輪を採用することにより、前記回動動作がスムーズになされると共に、支点軸設置部側で器具を持ち上げると、器具の走行移動が可能で、器具運搬も容易に行える。
【００３１】
また前記第二実施形態において、ホースリール本体１を横軸に組み込まずに図６，７に例示するとおり、ホースリール本体１（リール部１２と本体部１３）を縦軸方向で支持して組み込み、操作用ハンドル２の挿通孔３１１を、（岩形状とした）装飾カバー体２の上面部分に設けるようにしても良い（第二実施形態の別実施例）。
【００３２】
図８乃至１０は、本発明の第三実施形態を示したものである。この実施形態はホースリール本体１に、倒伏防止機能を組み込み、ホースリール本体１を単体で使用した場合にも、倒伏防止機能が働くようにしたものである。
【００３３】
ホースリール本体１は、ホース１１，リール部１２及び本体部１３を備えた前述したものと同様の構成を備え、本体部１３の底面に適宜な支点接地部１４及び移動支点部１５を設けたもので、支点軸接地部１４は、底面を例えばゴム質のような接地摩擦抵抗の大きい材質で形成した下方突出部１４１と、下方突出部１４１を上下に貫通する貫通孔１４２と、この貫通孔１４２を貫通するに十分な長さを備えたピン１４３とで構成する。
【００３４】
また移動接地部１５は、下方突出部を備えて本体部１３の脚となるものであるが、例えば底面を球面形状として、接地面積を小さくすると共に摩擦抵抗が小さい形状に形成したものである。
【００３５】
而して前記ホースリール本体１は従前の器具と同様に使用されるもので、例えば器具をコンクリート面のような硬質面上に置いて使用した場合に、ホースの巻き取りや引き出しの際や、散水方向の変更などの作業中に、ホース１１のために器具全体に対して捻れ作用（水平方向の回動力）が加わると、移動接地部１５の摩擦抵抗が、支点軸接地部１４の摩擦抵抗より小さいので、支点軸接地部１４を中心に器具全体が水平回動することになり、器具が倒伏することがない。
【００３６】
更に地面のような軟質面での使用に際して、各接地部の摩擦抵抗が大きく且つその差が無くなる場合には、ホースの動きによって器具の転倒は免れないが、ピン１４３を使用して支点軸接地部１４を地面にピン連結することで、ホースの働きによる倒伏作用に対する抵抗となり、支点軸接地部１４を中心に器具自体の回動が可能となるものである。
【００３７】
また前記ホースリール本体１は装飾カバー体３内に収納固定することで、装飾カバー体３で覆われたホースリールとすることもできる。装飾カバー体３内への収納固定は、前記したベース体を採用せずに、装飾カバー本体部３１の内周面とホースリール本体１の本体部１３との間に、長さ調整可能とした連結杆４を用いて装飾カバー体３を中空保持（非接地状態で保持）する。
【００３８】
なお支点軸接地部（１４，３２１）と移動接地部（１５，３２２）の形成位置は、ホースによる器具全体に加わる作用に対して、器具が支点軸接地部を中心に回動しやすい位置（装飾カバー体に設けたホース通過孔から最も遠い位置）に設けると効果的である。
【００３９】
【発明の効果】
以上のように本発明は、ホースの巻取機構を備えたリール部及びリール部を回転自在に支持する本体部を備え、リール部の巻取軸にハンドル連結機構を付設したホースリール本体と、巻取軸の軸方向の突出長さを所望の長さにできる連結機構を備えた操作ハンドルとで構成したホースリールで、操作ハンドルの連結箇所の長短調整で、単独使用もまた任意の装飾カバー体との組み合わせ使用も可能となるものである。
【００４０】
また本発明は、リール部の巻取軸にハンドル連結機構を設けたホースリール本体と、前記ホースリール本体を収納固定できると共に、ホースリール本体を収納固定した際に、巻取機構の巻取軸延長上となる位置に操作ハンドルの挿通孔を穿設し、リール部に正対する位置に適宜形状のホース通過孔を形成し、外部給水可能とした連結部を設けてなる装飾カバー体と、操作ハンドルの挿通孔を介して巻取軸のハンドル連結機構に装着可能に形成した操作ハンドルとで構成してなるホースリールで、器具自体が庭等の風景にとけ込むもので、屋外に放置しても見苦しくなく、カバー自体がホールリール本体の保護カバーとなり、屋外放置による機能低下も生じない。
【００４１】
また更に本発明は、前記ホースリールにおいて、器具接地面における適宜な一箇所を、他の接地面よりも移動抵抗を大きくして器具全体の水平回動中心となる支点軸接地部に形成してなる器具で、使用時のホースの移動に対しても対応でき、器具が転倒することを防止し、より使い易くしたものである。
【図面の簡単な説明】
【図１】本発明の第一実施形態の分解斜視図。
【図２】同リール部の構造説明図。
【図３】同第二実施形態の装飾カバー体の分解斜視図。
【図４】同全体の断面図。
【図５】同水平回動の作用説明図。
【図６】同第二実施形態の別例の斜視図。
【図７】同断面図。
【図８】本発明の第三実施形態の全体斜視図。
【図９】同実施形態の装飾カバー体の組み込み状態の説明図（断面図）。
【図１０】同正面図。
【符号の説明】
１            ホースリール本体
１１          ホース
１２          リール部
１２１        巻取ドラム
１２２        ホース連結部
１２３        給水部（給水管連結部）
１２４        巻取軸
１２５        連結孔
１３          本体部
１４          支点軸接地部
１４１        下方突出部
１４２        貫通孔
１４３        ピン
１５          移動接地部
２            操作ハンドル
２１          突起
３            装飾カバー体
３１          本体部
３１１        操作ハンドル用孔（挿通孔）
３１２        ホース通過孔
３１３        給水用孔部
３２          ベース体
３２１        支点軸接地部
３２２        移動接地部
４            連結杆
【図１】
2004315103.tif 000003
【図２】
2004315103.tif 000004
【図３】
2004315103.tif 000005
【図４】
2004315103.tif 000006
【図５】
2004315103.tif 000007
【図６】
2004315103.tif 000008
【図７】
2004315103.tif 000009
【図８】
2004315103.tif 000010
【図９】
2004315103.tif 000011
【図１０】
2004315103.tif 000012